(57)【要約】【課題】  使用者が懐中電灯をしっかり握った状態においても前下方を照射する範囲が広く、かつ使用者の身体をより一層鍛錬するトレーニング機能を備えた懐中電灯を提供する。【解決手段】  筒状の中央握持部１の前後方向両端に、前後方向を照射する一対のＬＥＤ光源部２、２が設けられている。ＬＥＤ光源部２の少なくとも一方の照射方向が、中央握持部１の前後方向より下向きに設定されている。中央握持部１は、内部に発電機11が設けられる一方、外部に前記発電機を駆動させる発電駆動操作部材20が突設されており、握持の強弱の反復により前記発電駆動操作部材を往復運動させることによって、発電機11からＬＥＤ光源４に電力が供給される。中央握持部１の左右両側面に手挟みバンド40が設けられる一方、中央握持部１の下面に突設されたブリッジ部25に１ないし複数のウェイト30が着脱自在に設けられている。【選択図】  図１
2009199881.tif 000002
【特許請求の範囲】
【請求項１】
筒状の中央握持部の前後方向両端に、前後方向を照射する一対のＬＥＤ光源部が設けられてなる懐中電灯において、
前記ＬＥＤ光源部の少なくとも一方の照射方向が、前記中央握持部の前後方向より下向きに設定され、
前記中央握持部は、内部に発電機が設けられる一方、外部に前記発電機を駆動させる発電駆動操作部材が設けられてなり、握持の強弱の反復により前記発電駆動操作部材を往復運動させることによって、発電機からＬＥＤ光源部に電力が供給されるものとなされていることを特徴とする懐中電灯。
【請求項２】
前記ＬＥＤ光源部の照射方向と中央握持部の前後方向とのなす角度が１０〜４５度に設定されている請求項１に記載の懐中電灯。
【請求項３】
前記発電駆動操作部材が、中央握持部の下面から垂下状に突出されている請求項１又は請求項２に記載の懐中電灯。
【請求項４】
前記中央握持部の左右両側面の少なくともいずれか一方に手挟みバンドが設けられている請求項１ないし請求項３のいずれかに記載の懐中電灯。
【請求項５】
前記中央握持部の下面に、手指挿入可能なブリッジ部が突設され、該ブリッジ部に１ないし複数のウェイトが着脱自在に装着されている請求項１ないし請求項４のいずれかに記載の懐中電灯。
【発明の詳細な説明】
【技術分野】
【０００１】
この発明は、ウォーキング時に用いられる懐中電灯に関する。
【背景技術】
【０００２】
近時、かつてのジョギングブームに替わってウォーキングが静かなブームになっているが、その理由は、ウォーキングは、ジョギングに比べて心臓や膝にかかる負担が遙に少ないことから年配の人も行いやすいからである。
【０００３】
そして、年配者は、早起きも苦にならないことから、まだ太陽の昇りきらない明け方にウォーキングを行ったり、あるいは仕事の都合上、太陽が沈んでからウォーキングを行ったりすることがあるが、そのような時間帯に行うウォーキングでは、懐中電灯が必須である。
【０００４】
ところが、従来の懐中電灯は、一方向しか照射せず、それに従って、ウォーキングを行う者は、前方のみを照射させてウォーキングを行うことになるので、車道と歩道との区別のない道路においては、ウォーキングを行う者の後方から近づく自動車の運転手が、ウォーキングを行う者の発見に遅れたりすると、安全面で問題がある。
【０００５】
そこで、懐中電灯の前後方向両端に前後方向を照射する光源部を備えた懐中電灯が提案されている（特許文献１，２参照）。
【０００６】
このような前後に光源を有する懐中電灯は、ウォーキングを行う者の前方及び後方の両方を照射するので、ウォーキングを行う者の後方から近付いてくる自動車の運転手にも懐中電灯の光が目に入って、ウォーキングを行う者の存在が認識されやすく、ウォーキングを行う者の安全が十分に図られる。
【０００７】
また、特許文献１の懐中電灯では、単に使用者の前後を照射するだけではなく、懐中電灯の使用中にトレーニング器具としても用いられるように、懐中電灯を持った腕を大きく振ることによって懐中電灯内の発電機を駆動させて電力を光源に供給するものとなされている。
【特許文献１】登録実用新案第３１３８０１５号公報
【特許文献２】特開２００２−３５２６０１号公報
【発明の開示】
【発明が解決しようとする課題】
【０００８】
しかしながら、このような懐中電灯は、使用者が親指と他の指とで輪をつくるないしは親指が他の指を指すようにして握持部をしっかり握って、身体の側方において前後に振った場合、使用者の前下方を照射する範囲が狭い。
【０００９】
もとより、懐中電灯の後端部を握持すれば、使用者の前下方を照射しやすくなるが、後端部を握持した手が後端部の光源を隠してしまうことになり、この懐中電灯の特徴が生かされないことになってしまう。
【００１０】
また、懐中電灯を一種のトレーニング器具としてみた場合、特許文献１のように単に腕を大きく振るだけの動作だけでは物足らないところがある。
【００１１】
この発明は、このような事情に鑑みてなされたもので、使用者が懐中電灯をしっかり握った状態においても前下方を照射する範囲が広く、かつ使用者の身体をより一層鍛錬できるトレーニング機能を備えた懐中電灯を提供することを目的とする。
【課題を解決するための手段】
【００１２】
而して、この発明の懐中電灯は、下記［１］〜［５］の構成を有する。
【００１３】
なお、この明細書において用いる「前後方向」の「前後」とは、中央握持部の一方のＬＥＤ光源部を有する側を「前」とし、他方のＬＥＤ光源部を有する側を「後」として用いるものとする。
【００１４】
［１］  筒状の中央握持部の前後方向両端に、前後方向を照射する一対のＬＥＤ光源部が設けられてなる懐中電灯において、前記ＬＥＤ光源部の少なくとも一方の照射方向が、前記中央握持部の前後方向より下向きに設定され、前記中央握持部は、内部に発電機が設けられる一方、外部に前記発電機を駆動させる発電駆動操作部材が突設されてなり、握持の強弱の反復により前記発電駆動操作部材を往復運動させることによって、発電機からＬＥＤ光源部に電力が供給されるものとなされていることを特徴とする懐中電灯。
【００１５】
［２］  前記ＬＥＤ光源部の照射方向と中央握持部の前後方向とのなす角度が、１０〜４５度に設定されている前項１に記載の懐中電灯。
【００１６】
［３］  前記発電駆動操作部材が、中央握持部の下面から垂下状に突出されている前項１又は前項２に記載の懐中電灯。
【００１７】
［４］  前記中央握持部の左右両側面の少なくともいずれか一方に手挟みバンドが設けられている前項１ないし前項３のいずれかに記載の懐中電。
【００１８】
［５］  前記中央握持部の下面に、手指挿入可能なブリッジ部が突設され、該ブリッジ部に１ないし複数のウェイトが着脱自在に設けられている前項１ないし前項４のいずれかに記載の懐中電灯。
【発明の効果】
【００１９】
［１］の発明にかかる懐中電灯では、ＬＥＤ光源部の少なくとも一方の照射方向が、前記中央握持部の前後方向より下向きに設定されているので、使用者が中央握持部をしっかり握った状態で腕を振った際にも、使用者の前下方を照射する範囲が広くなり、懐中電灯を握り変えたりする必要がなく、また、しっかり握れることによって腕を大きく振った場合にも不本意にも懐中電灯を落としたりするおそれもなくなる。
【００２０】
また、握持の強弱の反復により発電駆動操作部材を往復運動させることによって、発電機からＬＥＤ光源部に電力が供給されるものとなされているので、いわゆる電池切れが起こらないので、便利であることはもとより、握持の強弱の反復により握力の強化鍛錬を行え、トレーニング機能を有した懐中電灯を提供できる。
【００２１】
［２］の発明にかかる懐中電灯では、ＬＥＤ光源部の照射方向と中央握持部の前後方向とのなす角度が１０〜４５度に設定されているので、前項１の奏する効果に加えて、確実に使用者の前下方を照射できる。
【００２２】
［３］の発明にかかる懐中電灯では、前記発電駆動操作部材が、握持部の下面に垂下状に突出されているので、前項［１］及び［２］の奏する効果に加えて、発電駆動操作部材の操作がより一層行いやすく、使い勝手が良い。
【００２３】
［４］の発明にかかる懐中電灯では、前項［１］ないし［３］の奏する効果に加えて、中央握持部を握持する手の甲が手挟みバンドによって、中央握持部に抑え付けられるので、使用中に中央握持部をしっかり握持していない場合でも、手から懐中電灯が離れ難いので、懐中電灯の不本意な落下を防止できる。
【００２４】
［５］の発明にかかる懐中電灯では、前項［１］ないし［４］の奏する効果に加えて、ウェイトが着脱自在に設けられているので、ウェイトを装着したときは、重量負荷が掛かり、ダンベルにも似たウェイトトレーニング機能を奏する。また、複数のウェイトの個数を調節することにより、異なる重量負荷を掛けることができる。
【００２５】
さらに、ウェイトを取り外したときは、懐中電灯の重量をあまり感じることなく使用でき、力の弱い老人にも使い勝手が良い。
【発明を実施するための最良の形態】
【００２６】
以下、この発明に係る懐中電灯の実施形態を、図面を参照して具体的に説明する。
【００２７】
図１及び図２は、懐中電灯の側面図、図３は、手挟みバンドとウェイトとを取り外した下方から見た全体斜視図、図４は、使用状態の側面図である。
【００２８】
この実施形態の懐中電灯（Ａ）は、図１に示すように、成人が片手で握持することのできる太さに形成された筒状の中央握持部（１）の前後方向両端に、ＬＥＤ光源部（２）（２）が設けられている。
【００２９】
ＬＥＤ光源部（２）内には、すり鉢状の反射板（３）の中央にＬＥＤ（４）が配置され、その前方はレンズ（５）で覆われている。
【００３０】
一対のＬＥＤ光源部（２）（２）は、互いに対称的に異なる方向を照射するものとなされ、図２に示すように、各ＬＥＤ（４）の照射方向（ｎ）と中央握持部（１）の前後方向（ｍ）とのなす角度（θ）が約３０度に設定されている。
この角度（θ）は、３０度に限定されるものではなく、１０〜４５度の範囲であれば変更しても所期する効果を奏する。
【００３１】
筒状の中央握持部（１）は、内部に発電機ユニット（６）、充電池（７）、警報ブザー（８）、警報ブザー用のボタン電池（１８）を有すると共に、上面の一方のＬＥＤ光源部（２）寄りの位置に、やや斜め上方に向かって突出する電源オンオフ操作用押しボタン（９）が突設されている。
【００３２】
また、中央握持部（１）の下面には、発電機駆動操作部材（２０）が垂下状に突出されると共に、前記一方のＬＥＤ光源部（２）寄りの位置に警報ブザー操作用押しボタン（１０）が下向きに突設されている。
【００３３】
前記発電機ユニット（６）は、発電機（１１）、ギアボックス（１２）、ギアボックス（１２）に繋がるギア比の大きなギア（１３）、発電機（１１）の軸心（１５）に固定され前記ギア比の大きなギア（１３）と噛み合うギア比の小さなギア（図示省略）とを主要な構成部材とし、ギアボックス（１２）内には、図示省略したが、後述の発電駆動操作部材（２０）のラックギア（１９）に噛み合うクラッチギア、該クラッチギアに噛み合う従動ギア及び互いに噛み合うギア比の異なる大小の複数の従動ギアが配置されている。
【００３４】
このギアボックス（１２）の最終的な従動ギアの軸心（１４）は、外部に突出してギア比の大きなギア（１３）の軸心となり、該ギア比の大きなギア（１３）が、発電機の軸心（１５）に繋がるギア比のさな従動ギア（図示省略）を回転させることによって発電機（１１）が回転駆動されて発電され、電力が充電池（７）に充電される。
【００３５】
中央握持部（１）の下方に突出する前記発電駆動操作部材（２０）は、図１及び図２に示すように、ギアボックス（１２）内のクラッチギアに噛み合うラックギア（１９）が一体的に設けられると共に、他方にラックギア（１９）と平行状に配置された案内支柱（２１）が設けられている。この案内支柱（２１）は、発電駆動操作部材（２０）に遊挿状態に差し込まれており、発電駆動操作部材（２０）内の端部が、発電駆動操作部材（２０）内の弾性部材（図示省略）によって、抜脱方向に付勢されている。
【００３６】
また、この発電駆動操作部材（２０）は、中央握持部（１）の開口内縁に接する抜け止め部（２３）（２３）を備えており、中央握持部（１）からの抜脱が防止されている。
【００３７】
この発電駆動操作部材（２０）の下端には、手指受け部（２２）が設けられ、該手指受け部（２２）に、手指にフィットするような複数の凹部（２２ａ）が設けられている。
【００３８】
前記ラックギア（１９）は、ギアボックス（１２）内の弾性部材（図示省略）により常にギアボックス（１２）内のクラッチギアと離間する方向に付勢されており、これに従い、発電駆動操作部材（２０）も常に下方突出方向に付勢されている。
【００３９】
中央握持部（１）の左右両側面には、取り付け部材（４１）を介して所定長さの手挟みバンド（４０）が、中央握持部（１）の長さ方向に沿って取り付けられている。この手挟みバンドは伸縮性を有しており、使用者が指先を挿入して手挟みバンド（４０）と中央握持部（１）側面との間隔を拡げ、図４に示すように片手でしっかりと中央握持部を握持した状態においては、指の付け根あたりが手挟みバンド（４０）によって、中央握持部（１）の側面に抑え付けられるものとなされている。
【００４０】
図中、（４２）は、取り付け部材用ねじ、（４３）は、中央握持部（１）の側面に設けられた取り付け部材受け部、（４４）は、前記取り付け部材用ねじ（４２）がねじ合わされるねじ孔である。
【００４１】
中央握持部（１）の下方には、手指を挿入できる余裕を持ったブリッジ部（２５）が下方突出状に設けられ、該ブリッジ部（２５）は、中央握持部（１）の長さ方向と平行状の水平部（２６）を有している。
【００４２】
この水平部（２６）は、それ自体が把持できる幅、厚さを有し、ハンドルとして用いることが可能である。
【００４３】
この水平部（２６）の下面には、ウェイト（３０）が着脱自在に装着されている。
【００４４】
ウェイト（３０）は、２枚の鉄製プレート（３１）（３２）が積層状態に前記水平部（２６）に装着されており、各プレート（３１）（３２）の重量は、いずれも約２５０ｇに設定されている。
【００４５】
前記各プレート（３１）（３２）は、それぞれ左右一対のねじ貫通孔（３１ａ）（３１ａ）、（３２ａ）（３２ａ）を有し、下側に装着されるプレート（３１）は、ウェイト取り付け用ねじ（３３）の頭部（３３ａ）が嵌り込んでその上面が突出しない大きさ・深さを有する凹部（３４）（３４）を備えており、ウェイト装着状態において、ウェイト取り付け用ねじ（３３）を完全にねじ込むと、ウェイト取り付け用ねじ（３３）の頭部は前記プレート（３１）から突出しないものとなされている。
【００４６】
図中、（２６ａ）は、前記水平部（２６）に設けられたねじ孔で、ウェイト取り付け用ねじ（３３）がねじ合わされるものである。
【００４７】
而して、上記構成を有する懐中電灯（Ａ）の使い方について詳述すると、上記説明から理解されるように、この懐中電灯（Ａ）は、自家発電機能を有しており、警報ブザー用のボタン電池（１８）は装備されているが、ＬＥＤ（４）の電力供給源としての電池は装備されていないので、使用者は先ず最初に発電機（１１）を駆動させてＬＥＤ（４）（４）の発光に必要な電力を用意する必要がある。
【００４８】
そこで、先ず最初に、図４に示すように、使用者は、手挟みバンド（４０）と中央握持部（１）側面との間に指先を挿入して、手挟みバンド（４０）と中央握持部（１）側面との間隔を拡げ、図４に示すように、指先を手指受け部（２２）の凹部（２２ａ）（２２ａ）（２２ａ）に当接させてしっかりと中央握持部（１）を握持する。
【００４９】
そして、この状態から、力を強めて握持し、手指が発電駆動操作部材（２０）を矢印の方向に押し上げるように加圧する。この加圧に従って、図２に示すようにラックギア（１９）が同方向に移動すると、ギアボックス（１２）内のクラッチギアが従動ギアに噛み合い、該従動ギアが回転することにより、ギアボックス（１２）内のギア比の異なるその他の大小の従動ギアが回転する。
【００５０】
そして、ギアボックス（１２）外の大きなギア（１３）が回転すると、発電機（１１）の軸心（１５）の従動ギアが回転することによって、発電機（１１）が駆動して発電が行われる。
【００５１】
発電駆動操作部材（２０）への加圧力を弱めると、弾性部材の付勢力により発電駆動操作部材（２０）は、図２に矢印で示す方向、すなわち元の垂下状に復帰する。
【００５２】
このような握持の強弱の反復、すなわち、発電駆動操作部材（２０）の往復運動により発電された電力は、充電池（７）に充電される。
【００５３】
この発電駆動操作は、ある程度の握力を要し、ＬＥＤ（４）の持続的な発光に必要な電力を発電するためには、少なくとも十数回程度の反復を要するので、使用者の握力鍛錬に寄与することになり、懐中電灯（Ａ）のトレーニング機能が発揮される。
【００５４】
そして、電源オンオフ用押しボタンスイッチ（９）を押すとＬＥＤ（４）（４）に電流が流れ、ＬＥＤ（４）（４）が発光する。
【００５５】
使用者が、この発光状態の懐中電灯（Ａ）を握持した腕を、身体の側方に真っ直ぐに垂れ提げた状態において、ＬＥＤ光源部（２）は、図４に示すように、使用者の前下方を照射する。
【００５６】
そして、使用者が懐中電灯（Ａ）を握持した腕を前後に振ると、前方は先の腕を垂れ提げたときの前下方よりも上方から水平方向を照射し、後方は、後下方から後方水平方向を照射することになるので、道路上でのウォーキング時に使用した場合には、後方からもＬＥＤ（４）の発光が認識され、後方から使用者に近づいてくる自動車の運転手に使用者である歩行者の存在を気づかせ、運転手の歩行者の発見の遅れから生じる不慮の事故の防止が図れ、使用者の安全確保に寄与することになる。
【００５７】
上記発電駆動操作は、前記ウォーキング中にも随時行えるので、予め充電していた電力を使い果たした場合にも、必要に応じて発電駆動操作を反復することにより発電機を駆動させて新たな電力を得ることができる。
【００５８】
また、ブリッジ部（２５）に、ウェイト（３０）が取り付けられているので、懐中電灯としてＬＥＤ光源部（４）（４）を発光させて使用する場合はもとより、ＬＥＤ光源部（４）（４）を発光させない場合にも、ダンベル替わりに用いることができる。
【００５９】
さらに、ウエィト（３０）が着脱自在の２枚の鉄製プレート（３１）（３２）から構成されているので、２枚の鉄製プレート（３１）（３２）を装着した状態と、１枚のみを装着した状態との二通りの重量負荷を使い分けることができることはもとより、ウェイト（３０）を取り外した場合には、余分な重量負荷がなくなり、腕力の非力な年配者等にも使いやすいものとなる。
【００６０】
また、ウォーキング中に、痴漢や暴漢に襲われたり、身体の調子が悪くなったり等の緊急事態が発生した場合には、中央握持部（１）の下面に設けられた警報ブザー操作用押しボタン（１０）を操作して、警報ブザー（８）を鳴らすことにより、緊急事態の発生を周囲に知らしめることができる。
【００６１】
なお、上記実施形態の懐中電灯（Ａ）においては、発電駆動操作部材（２０）が、直線的に往復するものとなされているが、例えば、発電駆動操作部材が、一端を枢支された揺動自在なものであって、他端を関節部を介してラックギアに連結され、揺動しながらラックギアの直線往復運動を操作するものであっても良い。
【００６２】
また、上記実施形態においては、ウェイト（３０）が、複数枚のプレート（３１）（３２）から構成されてブリッジ部の水平部（２６）に対して積層状態に装着となされており、バランス上はこのような積層状態であることが好ましいが、例えば、ウェイトを、複数個のブロックを横並びに配列したものとし、個々のブロックを前記水平部（２６）に着脱自在に装着するものとしても良い。
【図面の簡単な説明】
【００６３】
【図１】この発明に係る懐中電灯の一実施形態の側面図である。
【図２】同懐中電灯の発電駆動操作部材を押し込んだ状態の側面図である。
【図３】同懐中電灯を手挟みバンドとウェイトとを取り外して下方から見た全体斜視図である。
【図４】同懐中電灯の使用状態の側面図である。
【符号の説明】
【００６４】
Ａ・・・・・・・懐中電灯
１・・・・・・・中央握持部
２・・・・・・・ＬＥＤ光源部
４・・・・・・・ＬＥＤ
１１・・・・・・・発電機
２０・・・・・・・発電駆動操作部材
２５・・・・・・・ブリッジ部
３０・・・・・・・ウェイト
４０・・・・・・・手挟みバンド
【図１】
2009199881.tif 000003
【図２】
2009199881.tif 000004
【図３】
2009199881.tif 000005
【図４】
2009199881.tif 000006